(57)【特許請求の範囲】
【請求項１】
電動送風機を収容した掃除機本体と、
収納される収納状態と、突出する把持状態とに可動的な集塵装置用把持部を備え、掃除機本体に対して着脱可能な集塵装置と、
前記集塵装置用把持部を収納状態とすることにより前記集塵装置を前記掃除機本体に対して固定し、前記集塵装置用把持部を把持状態とすることにより前記集塵装置の前記掃除機本体に対する固定を解除する係脱機構とを具備し、
前記係脱機構は、
前記掃除機本体に設けられ、前記集塵装置用把持部が収納状態で前記集塵装置が前記掃除機本体に取り付けられた状態で前記集塵装置用把持部の一部と当接する当接部と、
前記掃除機本体に設けられ、前記当接部と前記集塵装置用把持部の一部との当接に連動して突出し前記集塵装置側に係合することでこの集塵装置を前記掃除機本体に固定する係止部とを有している
ことを特徴とした電気掃除機。
【請求項２】
集塵装置用把持部は、回動により収納状態と把持状態とに可変し、収納状態で集塵装置側と略面一となる
ことを特徴とした請求項１記載の電気掃除機。
【請求項３】
集塵装置用把持部は、
集塵装置にそれぞれ回動可能に軸支された軸支部と、
これら軸支部の間を連結する把持用の被把持部と、
前記軸支部の前記集塵装置への軸支部近傍に位置する突出部とを有し、
当接部は、前記集塵装置用把持部が収納状態で前記集塵装置が前記掃除機本体に取り付けられた状態で前記突出部と当接し、
係止部は、前記当接部と前記突出部との当接に連動して突出し前記集塵装置側に係合することでこの集塵装置を前記掃除機本体に固定する
ことを特徴とした請求項１または２記載の電気掃除機。
【請求項４】
掃除機本体は、
取り付けられた集塵装置の前方に位置し、この集塵装置と外部とを気密に接続する吸込口と、
取り付けられた前記集塵装置の後方に位置し、この集塵装置の下流側と電動送風機の吸込側とを気密に接続する開口部とを備え、
係脱機構は、前記集塵装置の両側に位置している
ことを特徴とした請求項１ないし３いずれか一記載の電気掃除機。
【発明の詳細な説明】
【技術分野】
【０００１】
本発明の実施形態は、掃除機本体に対して着脱可能な集塵装置を備えた電気掃除機に関する。
【背景技術】
【０００２】
従来、掃除機本体に対して集塵装置としての集塵カップを着脱可能とした電気掃除機がある。このような電気掃除機の集塵カップは、集塵装置用把持部としてのカップ把持部を上部に備えており、掃除機本体に対して取り付けた状態で掃除機本体に固定されるように構成されている。
【先行技術文献】
【特許文献】
【０００３】
【特許文献１】特開２００３−５２５８９号公報
【発明の概要】
【発明が解決しようとする課題】
【０００４】
しかしながら、上述の特許文献１に記載された電気掃除機では、カップ把持部と、集塵カップを掃除機本体に固定する係脱機構とが別個に形成されており、これらが連動しないため、集塵カップの着脱の作業性が良好でない。また、係脱機構は、掃除機本体に対して集塵カップを１箇所のみで固定しているので、固定が充分でない。特に、特許文献１に記載された電気掃除機では、集塵カップの上部にカップ把持部を有するため、使用者がカップ把持部を掃除機本体の把持用と誤って、このカップ把持部により掃除機本体を持ち上げようとしたときに、把持部が掃除機本体の重量で破損したり、掃除機本体が持ち上がったところで集塵カップが掃除機本体から外れて掃除機本体が床面に落下したりするおそれがある。
【０００５】
本発明は、このような点に鑑みなされたもので、集塵装置の掃除機本体への着脱の作業性を向上しつつ、集塵装置用把持部により掃除機本体を誤って持ち上げることがない電気掃除機を提供することを目的とする。
【課題を解決するための手段】
【０００６】
実施形態の電気掃除機は、電動送風機を収容した掃除機本体を有する。また、電気掃除機は、収納される収納状態と、突出する把持状態とに可動的な集塵装置用把持部を備え、掃除機本体に対して着脱可能な集塵装置を有する。さらに、電気掃除機は、集塵装置用把持部を収納状態とすることにより集塵装置を掃除機本体に対して固定し、集塵装置用把持部を把持状態とすることにより集塵装置の掃除機本体に対する固定を解除する係脱機構を有する。係脱機構は、掃除機本体に設けられ、集塵装置用把持部が収納状態で集塵装置が掃除機本体に取り付けられた状態で集塵装置用把持部の一部と当接する当接部を備える。また、係脱機構は、掃除機本体に設けられ、当接部と集塵装置用把持部の一部との当接に連動して突出し集塵装置側に係合することでこの集塵装置を掃除機本体に固定する係止部を備える。
【図面の簡単な説明】
【０００７】
【図１】一実施形態の電気掃除機の掃除機本体および集塵装置の一部を示す縦断正面図であり、集塵装置用把持部の収納状態を示す。
【図２】同上電気掃除機の掃除機本体および集塵装置の一部を示す縦断正面図であり、集塵装置用把持部の把持状態を示す。
【図３】同上集塵装置を前方から示す斜視図である。
【図４】同上集塵装置を後方から示す斜視図である。
【図５】同上集塵装置の縦断面図である。
【図６】同上掃除機本体の本体部、取付部および壁部を示す平面図である。
【図７】同上掃除機本体を示す縦断面図である。
【図８】同上電気掃除機を示す斜視図である。
【発明を実施するための形態】
【０００８】
以下、一の実施形態の構成を図１ないし図８を参照して説明する。
【０００９】
図８において、11はいわゆるキャニスタ型の電気掃除機を示し、この電気掃除機11は、吸込風路体(風路形成体)である管部12と、この管部12が着脱可能に接続される掃除機本体13とを有している。
【００１０】
管部12は、掃除機本体13に接続される接続管部15と、この接続管部15の先端側に連通する可撓性を有するホース体16と、このホース体16の先端側に設けられた手元操作部17と、この手元操作部17の先端側に着脱可能に接続される延長管18と、この延長管18の先端側、あるいはホース体16の先端側に選択的に着脱可能に接続される吸込口体としての床ブラシ19とを備えている。
【００１１】
手元操作部17には、把持部21がホース体16側へと突出し、この把持部21には、操作用の設定ボタン22が複数設けられている。
【００１２】
また、掃除機本体13は、図６ないし図８に示すように、本体ケース25を備え、この本体ケース25には、集塵装置である集塵カップ26が上下方向に沿って着脱可能となっている。そして、掃除機本体13は、被掃除面である床面上を走行可能に構成されている。
【００１３】
本体ケース25は、例えば合成樹脂などにより形成されており、電動送風機31を収容した本体部32と、この本体部32の下端部から前方に向けて突出する取付部33と、この取付部33の前端部から上方に向けて突出する壁部34と、本体部32の前部から前方へと突出する掃除機本体13の把持用の本体把持部であるハンドル35とを一体的に備えている。
【００１４】
電動送風機31は、上下方向に沿って本体部32内に配置されており、設定ボタン22の操作に応じて、本体部32内にて電動送風機31の上方に収容された制御手段36により動作が制御される。また、この電動送風機31は、周囲がカバー体37によって覆われており、このカバー体37に対して図示しないコイルばねなどの弾性部材によって弾性的に吊り下げられている。
【００１５】
本体部32は、中空状に形成されており、電動送風機31および制御手段36の他に、この電動送風機31に給電するための電源部として、図示しない電源コードを巻回したコードリール装置などが収容されている。この本体部32の後部には、電動送風機31からの排気を本体ケース25の外部へと排出する多数の排気口43が形成されている。さらに、この本体部32の前部には開口部47が形成されている。
【００１６】
開口部47は、電動送風機31の吸込側に風路部54を介して気密に接続されており、この電動送風機31の吸込側と、取付部33に取り付けられた集塵カップ26の下流側(排気側)とを気密に接続するものである。この開口部47の内部には、格子状のリブ55が形成されている。さらに、この開口部47は、ハンドル35と略等しい高さ位置に形成されており、本体部32の両側間に亘って、取付部33側である前側に臨んで位置している。そして、この開口部47の外縁部には、この開口部47の全周を囲んで環状の後側シール部材56が取り付けられている。すなわち、この後側シール部材56は、取付部33側に臨んでいる。そして、この後側シール部材56は、例えばゴム、あるいはエラストマなどの弾性を有する合成樹脂などの部材により形成されており、リブ55よりも前方に突出している。
【００１７】
また、取付部33は、集塵カップ26の下部を受けて保持する平面視円形状の凹部66が中央部に形成されており、水平方向に沿う受け皿状となっている。
【００１８】
また、壁部34は、取付部33の前端部から上方に向けて略垂直状に延びて形成されており、上端部に筒状の吸込接続部68が形成されている。すなわち、壁部34は、本体部32の前面に対して離間され、この前面に対向している。このため、この壁部34の両側と、本体部32の両側とハンドル35との間には、集塵カップ26の側部を外部に露出させて外部から目視可能とする露出口69，69が形成されている。
【００１９】
吸込接続部68は、前後方向に沿って軸方向を有しており、前端部に、管部12の基端部である接続管部15が着脱可能に接続される本体吸込口71が形成されており、後端部に、本体吸込口71と連通し取付部33側に臨む吸込口72が形成されている。
【００２０】
吸込口72は、取付部33に取り付けられた集塵カップ26の上流側(吸込側)と気密に接続されてこの集塵カップ26と外部とを気密に接続するためのものである。この吸込口72の外縁部には、前側シール部材75が配置されている。この前側シール部材75は、例えばゴム、あるいはエラストマなどの弾性を有する合成樹脂などの部材により形成されている。さらに、この吸込口72は、開口部47よりも下側に位置している。
【００２１】
また、ハンドル35は、両端部である軸支部としての基端部が本体部32の両側部の上部にて本体部32に連結されており、前側へとループ状に形成されている。すなわち、このハンドル35は、取付部33の後方に基端側が接続されている。また、このハンドル35の前端部は、壁部34の上方付近に亘って延びており、この壁部34の吸込接続部68の上方に位置して、この壁部34に対して離間されている。したがって、このハンドル35は、取付部33に取り付けられた集塵カップ26の上側の周囲を囲んで位置しており、取付部33の上部に臨む取付開口76を区画している。この取付開口76は、集塵カップ26を取付部33に着脱する際に、この集塵カップ26が挿脱される部分である。なお、このハンドル35には、集塵カップ26を取付部33に取り付けた状態で集塵カップ26を掃除機本体13の本体ケース25に固定する係脱機構77が、取付開口76の内側の両側に配置されている(一方のみ図示)。
【００２２】
各係脱機構77は、ハンドル35の前後方向の略中間位置、換言すれば、開口部47と吸込口71との略中間位置に配置されており、左右幅方向に互いに線対称に位置している。各係脱機構77は、可動的(回動可能)な係脱体78と、この係脱体78を回動方向に付勢する図示しないトーションばねなどの付勢手段とを備えている。
【００２３】
各係脱体78は、図１に示すようにハンドル35の内部にて上下方向に沿って位置しており、上端側に当接部78aを有し、下端側に係止部78bを有し、これら当接部78aと係止部78bとの間が、ハンドル35に軸支された被軸支部78cとなっている。また、各係脱体78は、被軸支部78cに対して、当接部78aと係止部78bとが、それぞれ取付開口76の内側、換言すれば取付部33に取り付けられた集塵カップ26側に突出して形成されている。したがって、各係脱体78は、被軸支部78cを中心として、当接部78aと係止部78bとのいずれか一方が集塵カップ26側に突出する、シーソー状に形成されている。
【００２４】
当接部78aは、係止部78bを動作させるための部分であり、ハンドル35の両側部の相対的に上側に開口された当接部用開口としての上側開口79aから取付開口76の内側に露出している。
【００２５】
係止部78bは、集塵カップ26を掃除機本体13の本体ケース25に係止するための部分であり、ハンドル35の両側部の相対的に下側に開口された係止部用開口としての下側開口79bから取付開口76の内側に露出している。
【００２６】
また、各付勢手段は、各係脱体78を、当接部78aが上側開口79aから突出するようにそれぞれ付勢している。
【００２７】
そして、図３ないし図５に示す集塵カップ26は、含塵空気を内部で旋回させて塵埃を遠心分離する、いわゆるサイクロン集塵装置であり、集塵装置本体としての透視部である円筒状のカップ本体部81と、このカップ本体部81の上端に気密に着脱可能に取り付けられた蓋体としての上蓋部82と、カップ本体部81の下端に回動可能に軸支された開閉蓋としての底蓋83とを備えている。
【００２８】
カップ本体部81は、透光性を有する、すなわち透明な合成樹脂などの部材により、凹部66に嵌合可能な円筒状に形成されている。また、このカップ本体部81の前部には、集塵カップ26を取付部33に取り付けた状態で吸込口72と前側シール部材75を介して気密に接続される吸込開口部85が形成されている。さらに、このカップ本体部81の下端部には、塵埃を廃棄するための廃棄開口87が形成されている。この廃棄開口87は、底蓋83の回動により開閉される。さらに、このカップ本体部81の内部には、カップ本体部81内へと吸い込んだ含塵空気を旋回させて塵埃を遠心分離するための風向制御部である旋回分離部88が着脱可能に取り付けられている。また、このカップ本体部81の旋回分離部88の上部には、二次フィルタ部89が着脱可能に取り付けられている。
【００２９】
吸込開口部85の内部には、含塵空気をカップ本体部81の内周面に沿う方向へと整流するフィン状の整流部93が形成されている。また、この吸込開口部85の外縁部には、取付部33に集塵カップ26を取り付けた状態で前側シール部材75に面状に圧接される枠状の前部圧接部94が形成されている。
【００３０】
また、旋回分離部88は、中央部に円筒状に形成された分離本体96の周囲(周面)に形成された複数の通気開口97のそれぞれに、一次フィルタであるメッシュ状のフィルタ98が取り付けられている。そして、この旋回分離部88は、カップ本体部81と略同軸に配置されている。
【００３１】
また、二次フィルタ部89は、旋回分離部88の上側全体を覆って配置されている。この二次フィルタ部89は、枠体115に対してフィルタ98よりも目が細かい、微細塵捕集用の表面集塵フィルタであるフィルタとしての二次フィルタ116が貼付されて構成されている。この二次フィルタ116は、枠体115の形状により、周方向に山部と谷部とが交互に連続するプリーツ状に形成されている。
【００３２】
また、上蓋部82は、二次フィルタ部89の上部を覆ってカップ本体部81の上部に着脱可能である。この上蓋部82は、カップ本体部81から旋回分離部88および二次フィルタ部89を通過した空気を掃除機本体13の開口部47へと導く風路121を内部に区画しており、後部にこの風路121と連通する排気開口部122が形成されている。さらに、この上蓋部82の上部には、集塵カップ26の把持用の集塵装置用把持部としてのカップ把持部123が可動的に取り付けられている。そして、この上蓋部82の両側には、カップ把持部123の両端部の下方に、係止凹部124がそれぞれ形成されている。
【００３３】
風路121は、旋回分離部88内を通過した空気が排気開口部122を介して電動送風機31側へと流れるものであり、内部にフィルタ本体98の二次フィルタ116が位置している。
【００３４】
排気開口部122は、取付部33に集塵カップ26を取り付けた状態で、掃除機本体13の開口部47と後側シール部材56を介して気密に接続される部分であり、二次フィルタ部89の後方にて左右幅方向に横長に形成されている。この排気開口部122の外縁部には、取付部33に集塵カップ26を取り付けた状態で後側シール部材56に面状に圧接される枠状の後部圧接部128が形成されている。
【００３５】
また、カップ把持部123は、上蓋部82の前側に沿って円弧状に形成されており、両端部である軸支部としての基端部123a，123aがそれぞれ上蓋部82(集塵カップ26)の両側に回動可能に軸支され、基端部123a，123aの中間に位置する被把持部としての中間部123bに亘って、全体として上蓋部82の前側に位置している。そして、このカップ把持部123は、略垂直状に立ち上がらせて突出させた把持状態(図２に示す)と、上蓋部82の上面と略面一となるように回動して収納された収納状態(図１に示す)との間に亘って連続的に回動可能となっている。また、カップ把持部123には、各基端部123a，123aの近傍に、収納状態としたときの上蓋部82側である下側に突出する突出部123c，123cが形成されている。
【００３６】
これら突出部123cは、集塵カップ26を掃除機本体13の取付部33に取り付けた状態で、ハンドル35の内側の取付開口76内に位置するものである。そして、これら突出部123cは、カップ把持部123を収納状態としている場合に、ハンドル35内の各係脱体78の当接部78aに当接することで、各係脱体78を回動させて、各係脱体78の係止部78bを内方へと突出させて係止凹部124に挿入させることが可能となっている。
【００３７】
また、各係止凹部124は、各突出部123cの下方に位置しており、集塵カップ26を掃除機本体13の本体ケース25の取付部33に取り付けた状態で、下側開口79b，79bに対向する位置となる。
【００３８】
さらに、カップ把持部123には、底蓋83をカップ本体部81に係止するための尾錠である係止手段135を操作する操作ボタン136が配置されている。この操作ボタン136は、カップ把持部123の一方の基端部123aの近傍に配置されており、カップ把持部123の形状に沿って、一側方向(一方の基端部123a側)へと摺動可能となっている。また、この操作ボタン136は、カップ把持部123を把持状態としたときのカップ把持部123から露出し、カップ把持部123を収納状態としたときに上蓋部82との間でカップ把持部123により覆われて操作できなくなるように構成されている。
【００３９】
また、底蓋83は、後部がカップ本体部81の後部の下端に形成された軸受部134，134に回動可能に軸支されており、前部が係止手段135によってカップ本体部81に係止されている。この係止手段135は、例えばカップ把持部123に配置された操作ボタン136を操作することにより、底蓋83の係止を解除することで、底蓋83が自重により回動して廃棄開口87を開くように構成されている。
【００４０】
次に、上記一実施形態の動作を説明する。
【００４１】
まず、掃除作業の前準備として、集塵カップ26を掃除機本体13の取付部33に取り付ける。
【００４２】
このとき、集塵カップ26は、係止手段135により底蓋83をカップ本体部81に係止して廃棄開口87を閉じた状態とするとともに、カップ本体部81の上部に旋回分離部88および二次フィルタ部89を取り付けた状態とする。
【００４３】
そして、上蓋部82に対して回動させて把持状態に起こしたカップ把持部123を把持し、集塵カップ26のカップ本体部81の下部を取付開口76から挿入し、下方へと押し下げて、集塵カップ26の下部の底蓋83およびカップ本体部81の下端近傍を取付部33の凹部66に嵌合させて、集塵カップ26を掃除機本体13の本体ケース25に固定する。この状態で、集塵カップ26の吸込開口部85と壁部34の吸込口72とが密着して気密に接続されるとともに、集塵カップ26の排気開口部122と本体部32の開口部47とが密着して気密に接続される。この後、使用者は、図２に示す把持状態から、図１に示す収納状態へと、カップ把持部123を回動させて倒す。
【００４４】
このとき、カップ把持部123の突出部123c，123cがハンドル35の両側から突出する係脱体78，78の当接部78a，78aに当接することにより、係脱体78，78が被軸支部78c，78cを中心として付勢に抗して回動し、係脱体78，78の係止部78b，78bが下側開口79b，79bから突出して、これら下側開口79b，79bに対向する集塵カップ26の係止凹部124，124内に挿入されることで、係脱機構77によって集塵カップ26が掃除機本体13の本体ケース25に係止固定される。また、カップ把持部123により操作ボタン136が覆われ、この操作ボタン136が外部から操作できなくなる。さらに、集塵カップ26のカップ本体部81の両側部が露出口69から掃除機本体13の側部に露出する。
【００４５】
さらに、使用者は、管部12の接続管部15を本体吸込口71に接続するとともに、必要に応じてホース体16の先端側の手元操作部17に延長管18を接続し、さらに、延長管18の先端側に床ブラシ19を接続する。
【００４６】
なお、上記の一連の作業は、集塵カップ26が予め取付部33に取り付けられ、管部12が予め本体吸込口71に接続されている場合には不要である。
【００４７】
そして、使用者は電源コードを本体ケース25から引き出して壁面などの図示しないコンセントに接続した後、把持部21を把持し、所望の設定ボタン22を操作する。制御手段36は、この設定ボタン22の操作に対応した動作モード(強モード、中モード、弱モードなど)で電動送風機31を駆動させる。
【００４８】
この電動送風機31の駆動により生じた負圧は、風路部54、開口部47および排気開口部122を介して集塵カップ26に作用し、この集塵カップ26の吸込開口部85から吸込口72、本体吸込口71を介して管部12に作用する。そして、使用者は、床ブラシ19などを被掃除面上で前後に移動させることで、負圧の作用によって塵埃を空気とともに吸い込む。
【００４９】
この含塵空気は、管部12から本体吸込口71、吸込口72および吸込開口部85を介して集塵カップ26のカップ本体部81内へと流入する。このとき、整流部93によって整流されることにより、含塵空気はカップ本体部81の内周面に沿って分離本体96の外周を旋回することで、比較的大きい塵埃である綿ごみなどの粗塵が遠心分離されてカップ本体部81の内部に捕集される。
【００５０】
この粗塵が分離された含塵空気は、通気開口97から旋回分離部88内へと吸い込まれる。このとき、通気開口97に取り付けられたフィルタ98により比較的小さい塵埃である細塵が捕集される。
【００５１】
さらに、含塵空気は、旋回分離部88内を上方へと通過し、二次フィルタ116を通過する際に、さらに小さい塵埃である微細塵が捕集される。この段階で、含塵空気中の塵埃は略全てが集塵カップ26内に捕集される。
【００５２】
この後、空気は風路121を通過し、排気開口部122から開口部47を介して風路部54へと流入し、整流されつつ風路部54を通過して電動送風機31へと吸い込まれる。
【００５３】
そして、電動送風機31に吸い込まれた空気は、この電動送風機31の内部を通過して排気風となり、電動送風機31の外部へと排気された後、排気口43を介して本体ケース25の外部へと排気される。
【００５４】
掃除が終了したときには、使用者が停止用の設定ボタン22を操作すると、制御手段36が電動送風機31を停止させる。
【００５５】
また、例えば使用者が集塵カップ26を目視して、所定量以上の塵埃が溜まったと判断したときには、集塵カップ26のカップ把持部123を上蓋部82に対して回動させて把持状態に起こすと、各突出部123c，123cと係脱体78，78の当接部78a，78aとの当接が解除されるため、係脱体78，78が付勢手段の付勢によって復帰するように回動し、係止部78b，78bが下側開口79b，79b内へと退避して係止凹部124，124から外れることで、係脱機構77による集塵カップ26の掃除機本体13の本体ケース25への固定が解除され、このカップ把持部123を把持して集塵カップ26を取付開口76から上方へと引き抜くことで掃除機本体13の本体ケース25から取り外す。そして、この集塵カップ26をごみ箱などの廃棄場所へと運んだ後、操作ボタン136を操作することにより係止手段135による底蓋83の係止を解除して、カップ本体部81の内部に捕集した塵埃を廃棄開口87から廃棄する。
【００５６】
以上説明した一実施形態によれば、カップ把持部123を収納状態とすることにより集塵カップ26を掃除機本体13に対して固定し、カップ把持部123を把持状態とすることにより集塵カップ26の掃除機本体13に対する固定を解除する係脱機構77を備えることで、カップ把持部123の状態と係脱機構77の動作とが別個である従来例の構成と比較して、カップ把持部123の状態の変化に係脱機構77を連動させて、集塵カップ26の掃除機本体13への着脱の作業性を向上できる。また、カップ把持部123は掃除機本体13の上部に位置するので、使用者が、ハンドル35ではなくカップ把持部123を誤って用いて掃除機本体13を持ち上げようとすることが考えられるものの、この場合でも、カップ把持部123を把持状態として持ち上げると、集塵カップ26が掃除機本体13から確実に外れるので、カップ把持部123により掃除機本体13を誤って持ち上げることがない。
【００５７】
また、カップ把持部123は、回動により収納状態と把持状態とに可変するので、カップ把持部123を収納状態とすることにより集塵カップ26を掃除機本体13に対して固定し、カップ把持部123を把持状態とすることにより集塵カップ26の掃除機本体13に対する固定を解除する構成を簡単に形成できるとともに、収納状態としたときにはカップ把持部123が集塵カップ26側である上蓋部82に対して略面一となるので、見栄えがよい。
【００５８】
さらに、係脱機構77を、カップ把持部123が把持状態で集塵カップ26が掃除機本体13に取り付けられた状態でカップ把持部123の基端部123a近傍の突出部123cと当接する当接部78aと、この当接部78aと突出部123cとの当接に連動して突出し集塵カップ26の係止凹部124に係合することでこの集塵カップ26を掃除機本体13に固定する係止部78bとにより構成することで、集塵カップ26をカップ把持部123の回動軸となる基端部123a近傍で固定できるので、集塵カップ26を、より安定的に固定できるとともに、カップ把持部123を収納状態とするだけで、両基端部123a，123aの近傍で集塵カップ26を左右同時に固定でき、カップ把持部123を把持状態とするだけで、集塵カップ26の左右の固定を同時に解除でき、操作性が良好である。
【００５９】
そして、掃除機本体13の本体ケース25の取付部33に取り付けた集塵カップ26の前方に位置し、この集塵カップ26の吸込開口部85と外部とを前側シール部材75により気密に接続する吸込口72と、掃除機本体13の本体ケース25の取付部33に取り付けた集塵カップ26の後方に位置し、この集塵カップ26の下流側と電動送風機31の吸込側とを後側シール部材56により気密に接続する開口部47とを備え、係脱機構77を集塵カップ26の両側に配置することにより、左右の固定位置と前後のシール位置とによって十字状を構成する。すなわち、集塵カップ26の固定位置とシール位置とを互いに集塵カップ26の平面視の中心位置に対して互いに直交する位置とすることにより、集塵カップ26を安定的に掃除機本体13に固定および気密に接続できる。
【００６０】
なお、上記一実施形態において、電源部としては、電源コードを巻回したコードリール装置に代えて、例えば二次電池などの電池を用いてもよい。
【００６１】
また、集塵カップ26の内部の構成は、上記構成に限定されるものではなく、例えば遠心分離に代えて直進慣性分離などにより塵埃を分離および捕集する構成などとしてもよいし、単にフィルタを配置して塵埃を捕集する構成などとしてもよい。
【００６２】
さらに、本体部32の内部の電動送風機31などの配置は任意に設定できる。
【００６３】
また、係脱機構77の構成は、例えば当接部78aと係止部78bとを別体に構成してもよい。
【００６４】
そして、本発明の一実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００６５】
11    電気掃除機
13    掃除機本体
26    集塵装置としての集塵カップ
31    電動送風機
47    開口部
72    吸込口
77    係脱機構
78a   当接部
78b   係止部
123   集塵装置用把持部としてのカップ把持部
123a  軸支部としての基端部
123b  被把持部としての中間部
123c  突出部
【図１】
0005567423.tif 000002
【図２】
0005567423.tif 000003
【図３】
0005567423.tif 000004
【図４】
0005567423.tif 000005
【図５】
0005567423.tif 000006
【図６】
0005567423.tif 000007
【図７】
0005567423.tif 000008
【図８】
0005567423.tif 000009